【手続補正書】
【提出日】平成18年3月28日(2006.3.28)
【手続補正１】
【補正対象書類名】特許請求の範囲
【補正対象項目名】全文
【補正方法】変更
【補正の内容】
【特許請求の範囲】
【請求項１】
処理環境または操作環境における少なくとも１つの試験点の衛生上の安全性の評価を促進する方法であって、
第１のデータ構造にＡＴＰデータセットを保存する工程；および
該第１のデータ構造に、該ＡＴＰデータに対する物理的関係を有する温度データセットまたはｐＨデータセットのうちの少なくとも１つを保存し、該ＡＴＰデータセットと、該温度データセットまたは該ｐＨデータセットのうちの少なくとも１つとの間の論理的関係を構築する工程、
を包含する、方法。
【請求項２】
請求項１に記載の方法であって、前記第１のデータ構造に、前記ＡＴＰデータに対する物理的関係を有する温度データセットまたはｐＨデータセットのうちの少なくとも１つを保存する工程が、該第１のデータ構造に温度データセットおよびｐＨデータセットの両方を保存することを含む、方法。
【請求項３】
請求項１に記載の方法であって、前記ＡＴＰデータ、ならびに前記温度データセットまたは前記ｐＨデータセットの少なくとも一方を、同じグラフ上にグラフ化する工程をさらに包含する、方法。
【請求項４】
請求項１に記載の方法であって、前記ＡＴＰデータセット、ならびに前記温度データセットおよび前記ｐＨデータセットを、同じグラフ上にグラフ化する工程をさらに包含する、方法。
【請求項５】
請求項１に記載の方法であって、前記ＡＴＰデータセット、ならびに前記温度データセットまたは前記ｐＨデータセットを、同じグラフの平行軸に沿ってグラフ化する工程をさらに含む、方法。
【請求項６】
請求項１に記載の方法であって、前記第１の構造にＡＴＰデータセットを保存する工程が、前記試験点の各々についてのそれぞれの清潔ゾーン値を保存することを含む、方法。
【請求項７】
請求項１に記載の方法であって、前記第１の構造にＡＴＰデータセットを保存する工程が、前記試験点の各々についてのそれぞれの相対光単位（ＲＬＵ）を保存することを含む、方法。
【請求項８】
請求項１に記載の方法であって、前記第１のデータ構造にＡＴＰデータセットを保存する工程が、多くの試験点の各々に対応する多くの試験点識別子、該試験点の各々についてのそれぞれの清潔ゾーン値またはＲＬＵ値、および該試験点の各々についての合格／警告／不合格インディケーターを保存することを含む、方法。
【請求項９】
請求項１に記載の方法であって、前記第１のデータ構造に温度データセットを保存する工程が、前記試験点を通過した項目の温度に対応する少なくとも１つの温度値を保存することを含む、方法。
【請求項１０】
請求項１に記載の方法であって、前記第１のデータ構造に温度データセットを保存する工程が、前記試験点を通過した項目の温度に対応する少なくとも１つの温度値、および該試験点を通過した項目についての温度警告／不合格インディケーターを保存することを含む、方法。
【請求項１１】
請求項１に記載の方法であって、前記第１のデータ構造にｐＨデータセットを保存する工程が、前記試験点を通過した項目のｐＨに対応する少なくとも１つのｐＨ値を保存することを含む、方法。
【請求項１２】
請求項１に記載の方法であって、前記第１のデータ構造にｐＨデータセットを保存する工程が、前記試験点を通過した項目のｐＨに対応する少なくとも１つのｐＨ値、および該試験点を通過した項目のｐＨ警告／不合格インディケーターを保存することを包含する、方法。
【請求項１３】
請求項１に記載の方法であって、前記第１のデータ構造にＡＴＰデータセットを保存する工程が、第２のパラメータからの少なくとも１つのデータセットを保存する工程と組み合わされ、該第２のパラメータは、伝導率、酸化還元電位、タンパク質残基、溶存気体、または特定のイオンを含むがこれらに限定されない、方法。
【請求項１４】
請求項１に記載の方法であって、前記第１のデータ構造に保存された前記温度データセットまたは前記ｐＨデータセットのうちの少なくとも１つは、前記少なくとも１つの試験点との時間的関係または空間的関係のうちの少なくとも１つによって、該第１のデータ構造に保存された前記ＡＴＰデータセットに物理的に関連する、方法。
【請求項１５】
以下の工程：
第１のデータ構造にＡＴＰデータセットを保存する工程；および
該第１のデータ構造に、該ＡＴＰデータに対する物理的関係を有する温度データセットおよびｐＨデータセットのうちの少なくとも１つを保存し、該ＡＴＰデータセットと、該温度データセットまたは該ｐＨデータセットのうちの少なくとも１つとの間の論理的関係を構築する工程、
により、コンピュータに、処理環境または操作環境における少なくとも１つの試験点の衛生上の安全性の評価を促進させるための指示を保存した、コンピュータ読み取り可能媒体。
【請求項１６】
前記指示により、前記コンピューターは、前記第１のデータ構造に前記温度データセットおよび前記ｐＨデータセットの両方を保存する、請求項１５に記載のコンピューター読み取り可能な媒体。
【請求項１７】
ＡＴＰデータセットと、第２のパラメーターからの少なくとも１つのデータセットとを保存し、該第２のパラメーターは、伝導率、酸化還元電位、タンパク質残基、溶存気体、または特定のイオンを含むがこれらに限定されない、請求項１５に記載のコンピューター読み取り可能な媒体。
【請求項１８】
以下の工程：
前記ＡＴＰデータと、前記温度データセットまたはｐＨデータセットのうちの少なくとも１つとを同じグラフ上にグラフ化する工程、
によりさらに、前記コンピューターに試験点の評価を促進させるための指示を保存した、請求項１５に記載のコンピューター読み取り可能な媒体。
【請求項１９】
以下の工程：
前記ＡＴＰデータセット、前記温度セットおよび前記ｐＨデータセットを同じグラフ上にグラフ化する工程、
によりさらに、前記コンピューターに試験点の評価を促進させるための指示を保存した、請求項１５に記載のコンピューター読み取り可能な媒体。
【請求項２０】
以下の工程：
前記ＡＴＰデータセットと、第２のパラメータからの少なくとも１つのデータセットとをグラフ化する工程であって、該第２のパラメーターは、伝導率、酸化還元電位、タンパク質残基、溶存気体、または特定のイオンを含むがこれらに限定されない、工程、
によりさらに、前記コンピューターに試験点の評価を促進させるための指示を保存した、請求項１５に記載のコンピューター読み取り可能な媒体。
【請求項２１】
以下の工程：
前記ＡＴＰデータセット、前記温度データセット、および前記ｐＨデータセットを、同じグラフの平行軸に沿ってグラフ化する工程、
によりさらに、前記コンピューターに試験点の評価を促進させるための指示を保存した、請求項１５に記載のコンピューター読み取り可能な媒体。
【請求項２２】
前記第１のデータ構造にＡＴＰデータセットを保存する工程が、前記試験点の各々についてのそれぞれの清潔ゾーン値またはＲＬＵ値を保存することを含む、請求項１５に記載のコンピューター読み取り可能な媒体。
【請求項２３】
前記第１のデータ構造にＡＴＰデータセットを保存する工程が、多くの試験点の各々に対応する多くの試験点識別子、該試験点の各々についてのそれぞれの清潔ゾーン値、および該試験点の各々についての合格／警告／不合格インディケーターを保存することを含む、請求項１５に記載のコンピューター読み取り可能な媒体。
【請求項２４】
前記第１のデータ構造に温度データセットを保存する工程が、前記試験点を通過したかまたは不合格であったかのいずれかである項目の温度に対応する少なくとも１つの温度値を保存することを含む、請求項１５に記載のコンピューター読み取り可能な媒体。
【請求項２５】
前記第１のデータ構造に温度データセットを保存する工程が、前記試験点を通過した項目の温度に対応する少なくとも１つの温度値、および該試験点を通過したかまたは不合格であった項目についての温度警告／不合格インディケーターを保存することを含む、請求項１５に記載のコンピューター読み取り可能な媒体。
【請求項２６】
前記第１のデータ構造にＡＴＰデータセットを保存する工程が、第２のパラメータからの少なくとも１つのデータセットを保存する工程を組み合わされ、該第２のパラメータは、伝導率、酸化還元電位、タンパク質残基、溶存気体、または特定のイオンを含むがこれらに限定されない、請求項１５に記載のコンピューター読み取り可能な媒体。
【請求項２７】
前記第１のデータ構造にｐＨデータセットを保存する工程が、前記試験点を通過した項目のｐＨに対応する少なくとも１つのｐＨ値を保存することを含む、請求項１５に記載のコンピューター読み取り可能な媒体。
【請求項２８】
前記第１のデータ構造にｐＨデータセットを保存する工程が、前記試験点を通過した項目のｐＨに対応する少なくとも１つのｐＨ値、および該試験点を通過した項目のｐＨ警告／不合格インディケーターを保存することを包含する、請求項１５に記載のコンピューター読み取り可能な媒体。
【請求項２９】
処理環境または操作環境における少なくとも１つの試験点の衛生上の安全性の評価を促進する方法であって：
ＡＴＰデータセットを、グラフの第１の軸に沿ってグラフ化する工程；ならびに
温度データセット、ｐＨデータセット、伝導率データセット、酸化還元電位データセット、圧力データセット、および溶存気体データセットのうちの少なくとも１つを、該グラフの少なくとも１つの第２の軸に沿ってグラフ化する工程であって、ここで、該少なくとも１つの第２のの軸に沿ってグラフ化されるデータセットは、該ＡＴＰデータに物理的に関連する、工程、
を包含する、方法。
【請求項３０】
請求項２９に記載の方法であって、さらに以下：
グラフ化の前に、第１のデータ構造にＡＴＰデータセットを保存する工程；ならびに
グラフ化の前に、該第１のデータ構造に、温度データセット、ｐＨデータセット、伝導率データセット、酸化還元電位データセット、圧力データセット、特定イオンデータセット、および溶存気体データセットのうちの少なくとも１つを保存する工程、
の工程を包含する、方法。